(57)【要約】【課題】取付面への物品の取付位置を、あり溝状の係止溝に沿って、簡単に変更しうるとともに、物品を所望の位置に正確に、しかも簡単かつ迅速に取付けることができるようにした物品取付装置を提供する。【解決手段】あり溝状の係止溝３の下縁に係合しうる第１の係止部材１０を、差込孔１３を有するホルダ９に固着し、係止溝３の上縁に係合しうる第２の係止部材１１を、ホルダ９に枢着し、取り付けようとする物品の取付部５を設けた差込部材１４の差込片１５を、上記差込孔１３に挿入することにより、差込片１５の先端部をもって、第２の係止部材１１を、係止溝３の開口部に出し入れ可能なフリー位置から、係止溝３の上縁に、離脱不能かつ摺動可能に係合する仮保持位置と、係止溝３の上縁に強く係合する係合位置とに拘束しうるようにする。【選択図】  図２
2011106507.tif 000002
【特許請求の範囲】
【請求項１】
開口部より奥部の上下方向の幅を大とした左右方向を向くあり溝状の係止溝が設けられた取付面に、物品を取付けるための物品取付装置であって、
前記係止溝の上下いずれか一方の縁に係合しうる第１の係止部材を、上下方向を向く差込孔を有するホルダに固着するとともに、前記係止溝の上下いずれか他方の縁に係合しうる第２の係止部材を、前記ホルダに、左右方向の軸をもって枢着し、取り付けようとする物品の取付部を設けた差込部材における上下方向を向く差込片を、前記ホルダの差込孔に挿入することにより、前記差込片の先端部をもって、前記第２の係止部材を、第１の係止部材とともに前記係止溝の開口部に出し入れ可能なフリー位置から、前記係止溝の上下いずれか他方の縁に、離脱不能であるが、左右方向に摺動可能に係合する仮保持位置と、前記係止溝の上下いずれか他方の縁に強く係合する係合位置とに拘束しうるようにしたことを特徴とする物品取付装置。
【請求項２】
ホルダと差込部材との対向面に、差込部材を、第２の係止部材をフリー位置とする第１の位置と、第２の係止部材を仮保持位置に拘束する第２の位置と、第２の係止部材を係止位置に拘束する第３の位置とにおいて弾圧保持する弾圧保持手段を設けた請求項１記載の物品取付装置。
【請求項３】
第２の係止部材の中間部を、左右方向の軸をもってホルダに枢着し、第２の係止部材の一端に、係止溝の上下いずれか他方の縁に係脱しうる鉤形のフック部を設け、かつ他端に、差込部材の差込片によって回動が制限されるようにした連係部を設けた請求項１または２記載の物品取付装置。
【発明の詳細な説明】
【技術分野】
【０００１】
本発明は、左右方向を向くあり溝状の係止溝が設けられた取付面に、物品を取付けるための物品取付装置に関する。
【背景技術】
【０００２】
従来のこの種の物品取付装置としては、梁杆の前面に設けられた左右方向を向くあり溝状の係止溝の下縁に、支持ブロックに固着した下部係止片を係止するとともに、支持ブロックに設けた支持孔に、上部で家具を支持するようにした支杆を挿入することにより、支杆の下端と側面をもって、支持ブロックに左右方向を向く軸をもって枢着した上部係止片を、係止溝の上縁に係合する位置まで回動させて、その位置で保持するようにしたものがある(例えば特許文献１参照)。
【先行技術文献】
【特許文献】
【０００３】
【特許文献１】特許第３９９６０４１号公報(請求項７および図１１)
【発明の概要】
【発明が解決しようとする課題】
【０００４】
しかし、上述のような従来の物品取付装置においては、支杆を支持ブロックの支持孔に挿入すると、上部係止片は、係止溝の上縁に強力に係合し、支持ブロックを、梁杆の長手方向に移動させることはできなくなる。
そのため、梁杆に対する支持ブロックの取付位置を、左右方向に移動させたい場合には、一旦支杆を支持ブロックの支持孔から抜き出し、支持ブロックを梁杆に沿って所望位置まで移動させた後、再度支杆を支持ブロックの支持孔に挿入しなければならず、支持ブロックの取付位置変更作業が煩雑である。
【０００５】
本発明は、従来の技術が有する上記のような問題点に鑑み、取付面への物品の取付位置を、あり溝状の係止溝に沿って、簡単に変更しうるとともに、物品を所望の位置に正確に、しかも簡単かつ迅速に取付けることができるようにした物品取付装置を提供することを目的としている。
【課題を解決するための手段】
【０００６】
本発明によると、上記課題は、次のようにして解決される。
（１）開口部より奥部の上下方向の幅を大とした左右方向を向くあり溝状の係止溝が設けられた取付面に、物品を取付けるための物品取付装置において、前記係止溝の上下いずれか一方の縁に係合しうる第１の係止部材を、上下方向を向く差込孔を有するホルダに固着するとともに、前記係止溝の上下いずれか他方の縁に係合しうる第２の係止部材を、前記ホルダに、左右方向の軸をもって枢着し、取り付けようとする物品の取付部を設けた差込部材における上下方向を向く差込片を、前記ホルダの差込孔に挿入することにより、前記差込片の先端部をもって、前記第２の係止部材を、第１の係止部材とともに前記係止溝の開口部に出し入れ可能なフリー位置から、前記係止溝の上下いずれか他方の縁に、離脱不能であるが、左右方向に摺動可能に係合する仮保持位置と、前記係止溝の上下いずれか他方の縁に強く係合する係合位置とに拘束しうるようにする。
【０００７】
このような構成とすると、差込部材の差込片を、ホルダの差込孔に、第２の係止部材の回動を拘束しない位置まで差し込んだ状態で、第１の係止部材と第２の係止部材とを、取付面の係止溝にその開口部より挿入し、第１の係止部材を係止溝の上下いずれかの縁に係合させた後、差込部材の差込片を、第２の係止部材を仮保持位置に拘束する位置までホルダの差込孔に押し込み、この状態で、ホルダを、係止溝に沿って左右方向に摺動させて、所望の位置に正確に位置合わせした後、差込部材の差込片を、第２の係止部材を係止位置に拘束する位置までホルダの差込孔にさらに押し込むことにより、物品取付装置を、取付面の所望の位置に、正確に、しかも簡単かつ迅速に取付けることができる。
その後、差込部材の取付部に物品を取付ける。
また、この物品取付装置により、物品を取付面に取付けた状態から、差込部材の差込片を、第２の係止部材を仮保持位置に拘束する位置までホルダの差込孔からわずかに抜き出すことにより、ホルダを、係止溝に沿って左右方向に摺動させて、物品の取付位置を簡単に変更することができ、その後、差込部材の差込片を、第２の係止部材を係止位置に拘束する位置まで再度押し込むことにより、物品取付装置を、変更後の位置に確実に固定することができる。
したがって、取付面への物品取付装置の着脱作業および取付位置変更作業が容易である。
【０００８】
（２）上記(１)項において、ホルダと差込部材との対向面に、差込部材を、第２の係止部材をフリー位置とする第１の位置と、第２の係止部材を仮保持位置に拘束する第２の位置と、第２の係止部材を係止位置に拘束する第３の位置とにおいて弾圧保持する弾圧保持手段を設ける。
【０００９】
このような構成とすると、差込部材を、第１〜第３の各位置において、ホルダに対して確実に弾圧保持することができるので、誤操作のおそれをなくすことができる。
【００１０】
（３）上記(１)または(２)項において、第２の係止部材の中間部を、左右方向の軸をもってホルダに枢着し、第２の係止部材の一端に、係止溝の上下いずれか他方の縁に係脱しうる鉤形のフック部を設け、かつ他端に、差込部材の差込片によって回動が制限されるようにした連係部を設ける。
【００１１】
このような構成とすると、簡単な構造で、差込部材の差込片の移動により、第２の係止部材を係止溝の縁に確実に係止させることができる。
【発明の効果】
【００１２】
本発明によると、取付面への物品の取付位置を、あり溝状の係止溝に沿って、簡単に変更しうるとともに、物品を所望の位置に正確に、しかも簡単かつ迅速に取付けることができるようにした物品取付装置を提供することができる。
【図面の簡単な説明】
【００１３】
【図１】本発明の物品取付装置の一実施形態を使用して、ローパーティションの上側に配線ダクトカバーを装着した状態を示す縦断側面図である。
【図２】間仕切装置の上側に、１個の物品取付装置を取付ける初期の状態を示す図１と同様の縦断側面図である。
【図３】間仕切装置の上側に、１個の物品取付装置を取付ける途中の状態を示す図１と同様の縦断側面図である。
【図４】本発明の物品取付装置の一実施形態を斜め前方より見た斜視図である。
【図５】同じく側面図である。
【図６】図５のVI−VI線に沿う縦断正面図である。
【図７】軸付きアームの平面図である。
【図８】本発明の物品取付装置の一実施形態を使用して、ハイパーティションの上下方向の中間部に配線ダクトカバーを装着した状態を示す縦断側面図である。
【発明を実施するための形態】
【００１４】
以下、本発明の一実施形態を、添付図面に基づいて説明する。
図１は、本発明の物品取付装置の一実施形態を使用して、ローパーティションの上側に配線ダクトカバーを装着した状態を示す縦断側面図である。
なお、図１における左方が前方、右方が後方、紙面と直交する方向が左右方向である。
【００１５】
ローパーティション１は、左右方向を向く上枠杆２の上部における前後の両側面(取付面)２ａ、２ａに、開口部より奥部の上下方向の幅を大とした左右方向を向くあり溝状の係止溝３を設け、かつ上枠杆２における前後の係止溝３、３より下方の狭幅部２ｂの前後両側面に、パネル４、４を装着して構成されている。
【００１６】
ローパーティション１の上端部の前後両面には、係止溝３を利用して、前後１対の物品取付装置Ａ、Ａが装着され、両物品取付装置Ａ、Ａの上端部に設けた取付部５、５をもって、被取付物品である前後１対の回動式の配線ダクトカバー６、６と、それらの間に配設される載置式の配線ダクトカバー７とが取付けられている。
【００１７】
前後の配線ダクトカバー６、６の外側に位置する、机の天板８、８が、図示を省略した取付手段をもって、ローパーティション１に取付けられ、前後の天板８、８間で、ローパーティション１の上端より上方には、図示を省略した配線ダクトが配設されている。
配線ダクトの上面は、配線ダクトカバー６、６、７により、部分的に開閉できるようにして覆われている。
【００１８】
各物品取付装置Ａは、図４〜図７に示すように、上面が開口し、下部に後方(図５における右方を後方、左方を前方とする)へ向かって開口する保持孔９ａを有する有底角筒状の硬質合成樹脂製のホルダ９を備えている。
【００１９】
ホルダ９の両側下部には、係止溝３の下縁に係合しうる側面視下向鉤形の第１の係止部材１０、１０が、後方に向かって突設されている。
【００２０】
また、ホルダ９内には、ホルダ９の後面下部に設けた保持孔９ａを通って後方に延出し、係止溝３の上縁に係合しうる側面視上向鉤形のフック部１１ａを後端部に有する第２の係止部材１１の中間部が、左右方向の軸１２をもって枢着されている。
【００２１】
第２の係止部材１１における軸１２より前方の前端部には、ホルダ９内に形成された上下方向を向く有底の差込孔１３に上方より挿入される差込部材１４の差込片１５によって回動が制限されるようにした連係部１１ｂが形成されている。
【００２２】
差込部材１４は、硬質合成樹脂により成形され、上端部に取付部５が形成された後面が開口する箱状の本体１４ａの下端に、それより若干小形とした下方を向く角筒状または断面コ字状の差込片１５を連設したものよりなっている。
差込片１５の下端の前部には、下向突片１５ａが突設されている。
【００２３】
差込部材１４は、差込片１５がホルダ９の差込孔１３に上方より挿入されるが、下向突片１５ａが第２の係止部材１１の回動を妨げないか、または図２に示すように、下向突片１５ａの下端が第２の係止部材１１における連係部１１ｂの上面に当接し、第２の係止部材１１を、そのフック部１１ａが第１の係止部材１０とともに係止溝３の開口部に挿脱し易いフリー位置に保持しうる第１の位置と、それより若干下降し、図３に示すように、下向突片１５ａの下端が第２の係止部材１１における連係部１１ｂを下向に押動し、第２の係止部材１１を、そのフック部１１ａが係止溝３の上縁に、前方に離脱不能であるが、左右方向に摺動可能に係合する仮保持位置に拘束する第２の位置と、それよりさらに若干下降し、図１に示すように、下向突片１５ａの後面が第２の係止部材１１における連係部１１ｂの先端部に摺接し、第２の係止部材１１を、そのフック部１１ａが係止溝３の上縁に強く係合する係合位置に拘束する第３の位置とに移動可能である。
【００２４】
弾圧保持手段１６は、ホルダ９と差込部材１４との対向面に設けられ、差込部材１４を、上記第１の位置と第２の位置と第３の位置とにおいて弾圧保持するためのものであって、具体的には、図６に示すように、差込部材１４の差込片１５における両側面に設けられ、上端部に外向係合爪１７ａを有する上向きの弾性舌片１７と、それに対向するようにホルダ９の両側壁に設けられ、ホルダ９に対して差込片１５が、第１の位置、第２の位置、および第３の位置に位置したとき、弾性舌片１７の外向係合爪１７ａと弾性係合するようにした係合孔１８、１９、２０とからなっている。
【００２５】
弾性舌片１７は、差込片１５の側面に、下向コ字状の切込み溝を設けることにより、差込片１５から削出して形成するのがよい。
なお、弾性舌片１７をホルダ９に設け、係合孔１８、１９、２０を差込片１５に設けてもよい。
【００２６】
差込部材１４における本体１４ａの下端前縁と、ホルダ９の上端前縁とには、上下に対向するようにして前方に向かって突出するつまみ用の突片２１、２２が設けられており、両突片２１、２２を上下からつまむことによって、差込部材１４を、第１の位置から、第２の位置を経て、第３の位置まで、簡単に挿入しうるようになっている。
【００２７】
差込部材１４における突片２１の直下の差込片１５の前面には、下方の突片２２に当接することにより、差込部材１４が第３の位置より深く差込孔１３内に進入しないようにするためのストッパ２３が設けられている。
【００２８】
差込部材１４の上端部に設けられた、物品を取付けるための取付部５は、この例では、左右方向の中間部に空隙２４を設けて、本体１４ａの上端に固着された左右１対の枢軸２５、２５と、その前部より前上方に斜めに延出する左右１対のストッパ片２６、２６と、空隙２４内に収容され、下端部が前後１対の軸２７、２７をもって本体１４ａに枢着され、図５に示すように、空隙２４の下部より後方に延出する使用位置と、ストッパ片２６、２６間に挟まれるようにして空隙２４内に収容される収容位置とに回動可能とした受けレバー２８とからなっている。
【００２９】
受けレバー２８は、図７に示すように、Ｕ字状またはＶ字状のスリット２９を設けることにより、二股状とした基端部の両側面に、１対の軸２７、２７を一体的に固着したものとして、硬質合成樹脂により一体成形されている。
【００３０】
差込部材１４における本体１４ａ内に設けられた左右１対の縦リブ３０、３０には、後方に向かって拡開するように開口し、後方から軸２７、２７を装着するのを案内するガイド溝３１、３１が設けられている。
【００３１】
また、本体１４ａの両側壁には、左右の軸２７、２７の外端に設けた小径軸部２７ａ、２７ａが嵌合される軸受孔３２、３２が設けられ、さらに、本体１４ａの両側壁の内面には、後方に向かって拡開するように開口し、かつ軸２７、２７の小径軸部２７ａ、２７ａを、後方から軸受孔３２、３２の位置まで挿入するのを案内するガイド溝３３、３３が設けられている。
【００３２】
受けレバー２８は、左右の軸２７、２７が互いに近接するように、基端部を内方に弾性変形させた状態で、軸２７、２７をガイド溝３１、３１に沿わせて、また小径軸部２７ａ、２７ａをガイド溝３３、３３に沿わせて、前方に向かって押し込み、基端部の弾性復元力により、左右の小径軸部２７ａ、２７ａを軸受孔３２、３２に嵌合させることにより、差込部材１４の本体１４ａに簡単に装着させることができる。
【００３３】
物品取付装置Ａは、上記のような構成としてあるので、差込部材１４の差込片１４ａを、ホルダ９の差込孔１３に、第２の係止部材１１の回動を拘束しない第１の位置まで差し込んだ状態で、第１の係止部材１０と第２の係止部材１１とを、取付面の係止溝３にその開口部より挿入し、第１の係止部材１０を係止溝３の下縁に係合させた後、差込部材１４の差込片１４ａを、第２の係止部材１１を仮保持位置に拘束する第２の位置までホルダ９の差込孔１３に押し込み、この状態で、ホルダ９を、係止溝３に沿って左右方向に摺動させて、所望の位置に正確に位置合わせした後、差込部材１４の差込片１４ａを、第２の係止部材１１を係止位置に拘束する第３の位置までホルダ９の差込孔１３にさらに押し込むことにより、取付面であるローパーティション１の上部の前後面の所望の位置に、正確に、しかも簡単かつ迅速に取付けることができる。
【００３４】
なお、物品取付装置Ａを、ローパーティション１の上部の後面に取付ける場合は、その前面へ取付ける場合と前後の向きを逆にして、同様の態様で取付けることができる。
【００３５】
その後(またはそれ以前に)、差込部材１４の取付部５に、物品を取付ける。
この例では、図３に示すように、ローパーティション１の上部の前後面に取付けた各物品取付装置Ａの差込部材１４の上端部における左右１対の枢軸２５、２５に、配線ダクトカバー６の基端部に形成した下向コ字状の軸受部６ａを上方より跨嵌し、次いで図１に示すように、配線ダクトカバー６を、枢軸２５、２５を中心として、前方(後方の配線ダクトカバー６は後方)に９０°回動させて、下面をストッパ片２６の先端部上面に当接させて、ほぼ水平の使用位置とする。
【００３６】
配線ダクトカバー６の先端部には、ゴム板またはブラシ等の弾性体６ｂが設けられており、これによって、配線ダクトカバー６の先端と天板８との間の間隙を体裁よく閉塞することができるとともに、電気機器の配線等を自由に出し入れすることができるようにしてある。
【００３７】
また、図１に示すように、ローパーティション１の上部の前面に取付けた物品取付装置Ａにおける受けレバー２８は、後方を向く使用位置とし、ローパーティション１の上部の後面に取付けた物品取付装置Ａにおける受けレバー２８は、前方を向く使用位置とし、それらの前後の受けレバー２８、２８上に、配線ダクトカバー７を載置する。
なお、前後の係止溝３、３のそれぞれに、複数の物品取付装置Ａを装着し、前後２個ずつの受けレバー２８をもって、１個の配線ダクトカバー７を支持するのが好ましい。
【００３８】
上記のようにして物品取付装置Ａにより、所望の物品を取付面に取付けた状態から、差込部材１４の差込片１５を、第２の係止部材１１を仮保持位置に拘束する第２の位置までホルダ９の差込孔１３からわずかに抜き出すことにより、ホルダ９を、係止溝３に沿って左右方向に摺動させて、物品の取付位置を簡単に変更することができ、その後、差込部材１４の差込片１５を、第２の係止部材１１を係止位置に拘束する第３の位置まで再度押し込むことにより、物品取付装置Ａを、変更後の位置に確実に固定することができる。
したがって、取付面への物品取付装置Ａの着脱作業および取付位置変更作業が容易である。
【００３９】
図１は、本発明の物品取付装置Ａを使用して、ローパーティションの上部に配線ダクトカバーを装着した例を示すものであるが、図８に示すように、ハイパーティション４０における上下方向の中間部の前後両面に、上記と同様の物品取付装置Ａを使用して、配線ダクトカバーを装着することもできる。
【００４０】
この場合は、ハイパーティション４０における上下方向の中間部に設けた横杆４１の前後両面に、左右方向を向く上記と同様のあり溝状の係止溝３を設け、その係止溝３を利用して、物品取付装置Ａを、上記と同様にして取付面である前後両面に装着し、各物品取付装置Ａにおける受けレバー２８を、収容位置に位置させ、取付部５における枢軸２５とストッパ片２６とを利用して、配線ダクトカバー６のみを物品取付装置Ａの上端部に装着する。
【００４１】
ハイパーティション４０における横杆４１の下方には、ローパーティション１におけるパネル４、４と同様の前後１対の下部パネル４２、４２が、また横杆４１の上方には、前後１対の上部パネル４３、４３が装着されている。
なお、図８において、図１に示すものと同一の部材には、同一の符号をもって図示するに止め、それらについての詳細な説明は省略する。
【００４２】
取付部５は、取付面であるローパーティション１の前面等に取付けようとする物品の種類や取付態様によって適宜変更することができる。
【００４３】
本発明は、上記実施形態のみに限定されるものではなく、以下のような幾多の変形した態様での実施が可能である。
(１)  物品取付装置Ａを、上下の向きを上記のものと逆にして、係止溝３に取付ける。
(２)  係止溝３を上下方向に向けて取付面に形成し、物品取付装置Ａを横向きとして係止溝３に取付ける。
【符号の説明】
【００４４】
Ａ  物品取付装置
１  ローパーティション
２  上枠杆
２ａ側面(取付面)
３  係止溝
４  パネル
５  取付部
６、７  配線ダクトカバー
６ａ軸受部
６ｂ弾性体
８  天板
９  ホルダ
９ａ保持孔
１０  第１の係止部材
１１  第２の係止部材
１１ａフック部
１１ｂ連係部
１２  軸
１３  差込孔
１４  差込部材
１４ａ本体
１５  差込片
１５ａ下向突片
１６  弾性保持手段
１７  弾性舌片
１７ａ外向係合爪
１８、１９、２０  係合孔
２１、２２  突片
２３  ストッパ
２４  空隙
２５  枢軸
２６  ストッパ片
２７  軸
２７ａ小径軸部
２８  受けレバー
２９  スリット
３０  縦リブ
３１  ガイド溝
３２  軸受孔
３３  ガイド溝
４０  ハイパーティション
４１  横杆
４２  下部パネル
４３  上部パネル
【図１】
2011106507.tif 000003
【図２】
2011106507.tif 000004
【図３】
2011106507.tif 000005
【図４】
2011106507.tif 000006
【図５】
2011106507.tif 000007
【図６】
2011106507.tif 000008
【図７】
2011106507.tif 000009
【図８】
2011106507.tif 000010